(57)【特許請求の範囲】
【請求項１】
皮膚状態を測定して評価するのに用いられる装置であって、測定部と、測定データ処理部と、測定結果表示部とを備え、年代別モニター群の皮膚状態をそれぞれ測定して得られた年代別基準値と、その年代別基準値と測定時の環境温度の関係式とが、上記測定データ処理部に記憶されており、被測定者の皮膚状態を測定する際、上記測定装置に被測定者の年代と、測定時の環境温度を入力することにより、上記測定装置の測定結果表示部に、上記被測定者の測定結果が、その被測定者の年代に対応した年代別基準値（環境温度によって修正されたもの）からの偏りとして視覚的に表示されるようになっていることを特徴とする皮膚状態測定装置。
【請求項２】
上記測定装置に、環境温度を常時計測する温度センサが設けられており、被測定者の皮膚状態を測定する際の環境温度が、その都度、測定データ処理部に自動的に入力されるようになっている請求項１記載の皮膚状態測定装置。
【請求項３】
測定具として、皮脂量測定手段、水分量測定手段、皮膚温度測定手段、キメ測定手段、肌色測定手段、透明感測定手段、表皮の活性度測定手段および真皮の活性度測定手段の少なくとも一つの測定手段が設けられており、皮膚状態の評価項目として、皮脂量、水分量、皮膚温度、キメ、肌色、透明感、表皮の活性度、真皮の活性度の８項目の少なくとも一つの項目が評価できるようになっている請求項１または２に記載の皮膚状態測定装置。
【発明の詳細な説明】
【０００１】
【発明の属する技術分野】
本発明は、化粧品販売員等が顧客に対して皮膚状態評価を行う際に用いる皮膚状態測定装置に関するものである。
【０００２】
【従来の技術】
従来から、化粧品販売では、専門の販売員が、店頭あるいは訪問販売先で、化粧品メーカーから配布された化粧品販売促進用シートに基づいて顧客に化粧品の売り込みを行っている。
【０００３】
【発明が解決しようとする課題】
しかしながら、各メーカーが多種多様の化粧品を販売し、各メーカーがそれぞれ近似した販売促進をしている現状では、化粧品自体の独自性よりも、顧客に信頼されいかに好ましい印象を与えることができるかが顧客の購買力を引き出す大きなポイントとなる。そこで、最近では、専用の測定機器を用いて顧客の皮膚状態を測定し、その測定結果に基づいてその人の肌に合うと思われる化粧品をアドバイスすることが行われている。
【０００４】
しかし、従来の測定機器による皮膚状態の測定では、通常、その測定結果が数値として表示されるだけであるため、販売員（カウンセラー）が、手元にある基準値（良好な皮膚状態を基準とする測定値）と対比しながら、いちいち顧客の皮膚状態を評価しなければならず、そのやりとりを、顧客が煩わしく感じる場合がある。また、最近は、測定機器に接続されたモニター画面において、線グラフ等で、測定結果と基準値とを並べて表示するよう設定したものもあるが、顧客の年代や測定時の環境条件等に応じて、きめ細かく評価できるよう設定されていないため、やはり販売員が口頭でいろいろとフォローせざるを得ず、評価に時間がかかるという問題は改善されていないのが実情である。
【０００５】
本発明は、このような事情に鑑みなされたもので、皮膚の状態を、短時間で要領よく測定することができる、優れた皮膚状態測定装置の提供をその目的とする。
【０００６】
【課題を解決するための手段】
上記の目的を達成するため、本発明は、皮膚状態を測定して評価するのに用いられる装置であって、測定部と、測定データ処理部と、測定結果表示部とを備え、年代別モニター群の皮膚状態をそれぞれ測定して得られた年代別基準値と、その年代別基準値と測定時の環境温度の関係式とが、上記測定データ処理部に記憶されており、被測定者の皮膚状態を測定する際、上記測定装置に被測定者の年代と、測定時の環境温度を入力することにより、上記測定装置の測定結果表示部に、上記被測定者の測定結果が、その被測定者の年代に対応した年代別基準値（環境温度によって修正されたもの）からの偏りとして視覚的に表示されるようになっている皮膚状態測定装置を第１の要旨とする。
【０００７】
また、本発明は、そのなかでも、特に、上記測定装置に、環境温度を常時計測する温度センサが設けられており、被測定者の皮膚状態を測定する際の環境温度が、その都度、測定データ処理部に自動的に入力されるようになっている皮膚状態測定装置を第２の要旨とする。
【０００８】
そして、本発明は、これらのなかでも、特に、測定具として、皮脂量測定手段、水分量測定手段、皮膚温度測定手段、キメ測定手段、肌色測定手段、透明感測定手段、表皮の活性度測定手段および真皮の活性度測定手段の少なくとも一つの測定手段が設けられており、皮膚状態の評価項目として、皮脂量、水分量、皮膚温度、キメ、肌色、透明感、表皮の活性度、真皮の活性度の８項目の少なくとも一つの項目が評価できるようになっている皮膚状態測定装置を第３の要旨とする。
【０００９】
すなわち、本発明によれば、被測定者の皮膚状態の測定結果は、必ず、その被測定者の年代に対応する年代別基準値からの偏りとして、一目でわかるよう視覚化された状態で表示されるようになっている。しかも、その年代別基準値は、測定時に入力される環境温度によって、環境の影響を考慮した値に修正されるようになっている。したがって、被測定者である顧客は、いちいち販売員の説明を聞くまでもなく、即座に、自分の皮膚の状態を理解することができ、化粧品選択の目安にすることができる。一方、販売員も、上記測定結果の表示を見るだけで、即座に顧客の皮膚状態を評価することができるため、上記結果にもとづき、熟練した技術を要することなく、スキンケア方法や化粧品選択に関し、的確なアドバイスを行うことができる。
【００１０】
【発明の実施の形態】
つぎに、本発明の実施の形態を説明する。
【００１１】
図１は、本発明の皮膚状態評価装置の一例を示している。この装置は、１０インチの液晶カラーモニター４と、本体部５からなり、上記本体部５には、肌状態を測定する素肌センサ１と、皮脂量を測定するオイリーチェッカー２と、皮膚表面撮像用の拡大カメラ３とが、着脱自在に係合保持されるようになっている。
【００１２】
上記素肌センサ１には、肌状態を客観的に測定するための、皮膚温度センサと水分量センサと皮膚弾力性センサが設けられており、上記本体部５には、拡大カメラ３で撮像される画像情報を処理するとともに、素肌センサ１，オイリーチェッカー２から入力される測定情報を処理するための測定データ処理部が設けられている。
【００１３】
つぎに、装置の細部について詳しく説明する。
【００１４】
まず、素肌センサ１は、図２（ａ）に示すように、先端部がやや傾斜した形状のプラスチック製のケーシング７を備え、その傾斜部根元部分の内側に、皮膚温度センサと水分量センサを作動させるためのオン・オフスイッチ８が設けられている。また、傾斜部根元部分の外側には、弾力性センサを作動させるためのオン・オフスイッチ９が設けられている。
【００１５】
そして、上記素肌センサ１の傾斜部先端面には、図２（ａ）のＡ−Ａ′矢視図である同図（ｂ）に示すように、皮膚温度センサ１０と、水分量センサ１１と、弾力性センサ１２とが、並べて設けられている。
【００１６】
上記皮膚温度センサ１０は、その縦断面図である図３（ａ）に示すように、ケーシング７内に、スリーブ１３を介して、皮膚に対し非接触式となるよう取り付けられている。そして、この皮膚温度センサ１０には、サーモパイル（赤外放射温度計）が内蔵されており、皮膚温度を電気信号として取り出すことにより、皮膚温度が測定できるようになっている。
【００１７】
また、上記水分量センサ１１は、その縦断面図である図３（ｂ）に示すように、ケーシング７内に、スリーブ１４を介して、皮膚に対し押し付け付勢できるよう弾力的に取り付けられている。そして、その先端面１１ａの中心部が導電体部に形成されており、周囲が絶縁体部に形成されている。また、段差が設けられた外側部１１ｂが導電体部に形成されている。そして、上記先端面１１ａおよび外側部１１ｂを皮膚表面に押圧して、皮膚表面に存在する水分を介して上記突出した絶縁体部を通電すると、直流回路が形成されるため、その電気抵抗値の変化を電気信号として取り出すことにより、皮膚表面水分量が測定できるようになっている。
【００１８】
さらに、上記弾力性センサ１２は、その縦断面図である図３（ｃ）に示すように、スリーブ１５を介して、ケーシング７に一体的に取り付けられている。この先端中央には、内側で弾力的に保持される突出ピン１２ａが設けられており、この突出ピン１２ａで皮膚を押圧すると、突出ピン１２ａ先端の振動数の変化から、皮膚の弾力性が測定できるようになっている。
【００１９】
一方、本体部５（図１に戻る）に係合保持された状態において、上記素肌センサ１の隣に配備されるオイリーチェッカー２は、図４（ａ），（ｂ）に示すように、持ちやすいよう左右両面が部分的に平たく面取りされた形状のケーシング２０と、その先端に、弾力的に保持される先端部２１とを備えている。上記先端部２１の先端面２１ａには、金属製の皮脂付着板が設けられており、被測定者の皮脂をこの付着板に付着させて本体部５に設けた皮脂測定ホルダーに挿入し、上記ホルダー内に設けられた赤外線検出手段によってその反射量を検知することにより、皮膚表面の皮脂量を、電流の量として測定することができるようになっている。
【００２０】
また、本体部５（図１に戻る）に係合保持された状態において、上記オイリーチェッカー２の向かって右側に配備される拡大カメラ３は、図５に示すように、前述の素肌センサ１と同様、先端部がやや傾斜した形状のプラスチック製のケーシング３１を備えている。そして、上記ケーシング３１の傾斜部根元部分の外側に、反射画像を撮像するためのオン・オフスイッチ３２と、無反射画像を撮像するためのオン・オフスイッチ３３が設けられている。
【００２１】
すなわち、上記拡大カメラ３の内部は、円環状に配列されたランプが、光学系を囲んだ状態で設けられており（図示せず）、各ランプの下には、偏光特性が全く逆の２種類の偏光板Ｐ，Ｐ′が交互に並んだ状態で、ランプと同様、円環状に配列されており、その中心部に、偏光板Ｑ（偏光特性が上記円環状に配列された偏光板のうちＰと同一のもの）が設けられている。そして、ランプが、一つおきに点灯するようになっており、２種類のランプのグループが、前記２つのオン・オフスイッチ３２，３３によって、互い違いに点灯するようになっている。
【００２２】
より詳しく説明すると、まず、反射画像用のオン・オフスイッチ３２をオンにすると、ランプの第１グループが点灯し、皮膚表面に投射された光の反射光が、偏光板Ｐ→偏光板Ｑと通過して光学系に入る。このとき、偏光板Ｐと偏光板Ｑは、その偏光特性が同一であり、光の進行が妨げられることがないため、反射画像が得られる。これに対し、無反射画像用のオン・オフスイッチ３３をオンにすると、ランプの第２グループが点灯し、光の反射光が、偏光板Ｐ′→偏光板Ｑへと進む。このとき、偏光板Ｑの偏光特性は偏光板Ｐ′と逆になっているため、反射光は遮断され、光学系に入らない。このため、得られる画像は無反射画像となる。
【００２３】
上記のようにして得られた画像は、光学系を通して拡大され、さらにその上部に内蔵されているＣＣＤ回路によって解読されて電気信号に変換されるようになっている。そして、本体部５内に取り込まれて、液晶カラーモニター４のモニター画面４ａ（図１参照）に動画として映し出すことができるようになっている。また、所定の記憶スイッチを押すことにより、その映し出されている動画を静止画像にして、詳細に観察することができる。さらに、モニター画面４ａを複数に分割して、いろいろな部位の拡大画像を同時に映して観察したり、予め本体部５内にデータとして記憶されている標準画像を呼び出して対比して観察したりすることができる。
【００２４】
なお、上記拡大カメラ３によって得られる反射画像によれば、皮膚表面の色は見にくいが、皮膚の微妙な凹凸が鮮明に区別されるため、肌のきめ細かさ等を観察するのに有効である。一方、上記無反射画像によれば、皮膚表面の凹凸による陰影は映らず、皮膚表面から若干内側に入った部分が見えるため、毛細血管の分布状態や色素の沈着状態，毛根の状態等、皮膚内部の特性やしみ，そばかす等のトラブルを観察するのに有効である。
【００２５】
さらに、この装置では、上記拡大カメラ３を用いて、皮膚表面の拡大画像を得る以外に、皮膚表面から採取した角質を観察して、表皮の活性度（この例では「表皮の力」という）を評価することができるようになっている。すなわち、拡大カメラ３を係合保持する凹部５０には、図６に示すように、角質層採取シート６０を斜めに保持するシート保持部６１が形成されており、この部分に、被測定者の皮膚表面から角質を採取した角質層採取シート６０を保持させることにより、その採取部を、上記凹部５０に係合させた姿勢の拡大カメラ３で、撮像できるようになっている。なお、上記シート保持部６１の向かって左側の端部は、凹部５０の内壁面５０ａから一段奥まった内側に形成されており、内壁面５０ａとシート保持部６１との間に形成される隙間６２に、角質層採取シート６０の片端部を差し込むことにより、角質層採取シート６０の位置決め保持がなされるようになっている。
【００２６】
上記角質層採取シート６０は、図７に示すように、上下２枚の透明ポリエステルシート６３，６４を粘着剤層６５を介して接合一体化したもので、上側のシート６３の長手方向のやや片側に寄った位置に、円形の切欠部６６が形成され、この切欠部６６に、円形の離型片６７が貼着されている。したがって、図８に示すように、上記角質層採取シート６０から離型片６７を剥がすと、離型片６７側に粘着剤が付着することがなく、粘着剤層６５の表面が、平坦かつ均一な状態で露出する。この粘着剤層６５露出部（切欠部６６）を、被測定者の測定しようとする部位（例えば頬，額等）に押圧して剥がすことにより、この部分に角質層を付着採取することができるようになっている。
【００２７】
なお、この角質層採取シート６０は、多数枚用意されており、一回の測定ごとに使い捨てられるようになっている。
【００２８】
一方、本体部５の内側には、平面発光素子（エレクトロルミネッセンス）が設けられており（図示せず）、シート保持部６１に保持された角質層採取シート６０の採取部に向かって、内側から透過照明がなされるようになっている。
【００２９】
したがって、角質層採取シート６０に採取された角質層の観察は、前記拡大カメラ３に内蔵されたランプからの照明を利用する反射モードと、上記本体部５に内蔵された平面発光素子からの照明を利用する透過モードの２通りのモードを選択して行うことができる。
【００３０】
なお、上記反射モードによって得られる反射画像によれば、採取された角質層の微妙な凹凸が鮮明に区別され、その陰影が白黒の濃淡によって表示されるため、角質細胞量の多い少ないを評価するのに有効である。一方、透過モードによって得られる透過画像によれば、採取された角質層のうち均一に角質層が分布する部分が青色に表示され、部分的に厚い部分が黒く表示されるため、角質層の均一性を評価するのに有効である。
【００３１】
一方、この装置の本体部５に設けられた測定データ処理部では、各測定具（素肌センサ１、オイリーチェッカー２、拡大カメラ３）による測定結果を自動的に処理して、被測定者の皮膚の状態を一目でわかりやすいグラフ図等として、液晶カラーモニター４のモニター画面４ａ（図１参照）に表示するよう設定されている。
【００３２】
なお、各測定結果から皮膚状態を判断する項目として、「肌コンディション  皮脂量・水分量・皮膚温」、「肌拡大  表面／内部」、「キメ」、「肌色」、「透明感」、「表皮の力」、「真皮の力」の７項目が設定されており、上記モニター画面４ａにおいて、まずはじめに、図９に示すようなメニュー画面が表示されるようになっている。そこで、この画面に表示された各項目のいずれかを被測定者もしくは担当員（化粧品販売員、カウンセラー、エステティシャン等）が選択すると、用いる測定具とその測定方法について、画面もしくは音声で指示が与えられる。これにしたがって測定を行うことにより、測定結果が、上記本体部５のデータ処理部で自動的に行われ、モニター画面４ａに、グラフ図等の結果が表示されるようになっている。
【００３３】
まず、上記メニュー画面の「肌コンディション」の項目を選択すると、素肌センサ１を頬に当てて皮膚温度と水分量を測定し、オイリーチェッカー２を額中央に当てて皮脂量を測定するよう指示が与えられるようになっている。そして、皮膚温度、水分量、皮脂量の測定結果から、図１０に示すように、被測定者の肌コンディションが一目でわかるようなグラフ図６９が、モニター画面４ａ（図１参照）に表示されるようになっている。
【００３４】
このグラフ図６９は、皮脂量を縦軸にとり、水分量を横軸にとって、予め収集したデータに基づいて皮膚状態を４つの典型例に区分して示したものがベースとなっており、皮脂量も水分量も基準値より少ない領域が乾燥肌（象徴記号「Ｄ」）、皮脂量も水分量も基準値より多い領域が脂性肌（象徴記号「Ｏ」）、皮脂量が多く水分量が少ない領域が脂性乾燥肌（象徴記号「ＯＤ」）、皮脂量が少なく水分量が多い領域が普通肌（象徴記号「Ｎ」）として示されている。７０，７１は各基準値を示すラインである。そして、被測定者の測定結果から両者の交点に所定のマーク７２が付されており、被測定者の肌タイプが一目でわかるようになっている。
【００３５】
そして、上記グラフ図６９の下には、皮膚温度についての棒グラフ７３が表示されており、この棒グラフ７３にも、基準値７４と、測定値７５が表示されている。
【００３６】
なお、上記皮脂量や水分量の「基準値」は、年代によって変化する。そこで、この装置では、被測定者の年代を、「１０代前半」、「１０代後半」、「２０代前半」、「２０代後半」、「３０代前半」、「３０代後半」、「４０代前半」、「４０代後半」、「５０代前半」、「５０代後半」、「６０代以上」の１１の年代に分け、各年代約１０００名のモニターによるデータから予め求められた年代別基準値を記憶させておき、被測定者の年代を入力することにより、被測定者の年代に対応した年代別基準値が「基準値」として上記グラフのライン７０，７１となるようグラフ作成処理をした上で、測定結果の表示がなされるようになっている。
【００３７】
上記被測定者の年代の入力は、具体的な測定作業に入る前に、図９に示すメニュー画面を利用して行われる。すなわち、画面右上の、「入力」という文字が付されたハートマーク６８を選択すると、画面が、年代入力画面に変わり、「１０代前半」、「１０代後半」、「２０代前半」、「２０代後半」、「３０代前半」、「３０代後半」、「４０代前半」、「４０代後半」、「５０代前半」、「５０代後半」、「６０代以上」の１１の年代を示す文字が列挙される。そこで、該当する年代を選択することにより、被測定者の年代を入力することができる。年代入力後は、各測定結果の表示画面には、後述するように、被測定者の年代がいずれであるかを模式的に示す年代記号７６（図１０〜図１７参照）が、必ず表示されるようになっている。
【００３８】
そして、このようにして入力された被測定者の年代に基づいて求められる年代別基準値は、絶対的なものではなく、その測定時期の環境温度によっても左右される。そこで、この装置には、この装置が設置された場所の環境温度を常時計測する温度センサが内蔵されており、被測定者が皮膚状態を測定する際の環境温度が、本体部５内のデータ処理部に自動的に入力され、基準値として用いられる年代別基準値が、環境温度の影響を考慮した値に修正されるようになっている。
【００３９】
したがって、被測定者の肌コンディションの結果を示す図１０の画面において、グラフ図６９の右上には、入力された被測定者の年代を示す年代記号（ハートの個数１つ：１０代前半、１つ半：１０代後半、２つ：２０代前半……という記号であり、この図では、被測定者が４０代前半であることを示している）７６と、環境温度を示す枠７７が設けられている。また、その下には、皮脂量と水分量と皮膚温度を示す枠７８〜８０がそれぞれ設けられており、実際の測定値から換算された指数が数値で示されるようになっている。
【００４０】
また、上記皮脂量と水分量と皮膚温度の測定結果は、図１１に示すような棒グラフ８１としても表示できるようになっている。この棒グラフ８１には、それぞれの年代平均も示されるようになっている。そして、図１０に示す場合と同様、その右側には、年代記号７６と各数値が表示されるようになっている。
【００４１】
つぎに、メニュー画面（図９参照）の「キメ」を選択すると、拡大カメラ３を頬に当てて反射画像で皮膚表面を見るよう指示が与えられるようになっている。そして、得られる画像情報から、陰影として映る凹凸、毛穴の状態等が数値的に処理され、図１２に示すように、被測定者の肌のキメが一目でわかるようなグラフ図８２が、モニター画面４ａ（図１参照）に表示されるようになっている。
【００４２】
このグラフ図８２は、キメの形を数値化した指数を縦軸にとり、毛穴の状態を数値化した指数を横軸にとって、予め収集したデータに基づいて皮膚状態を４つの典型例に区分して示したものがベースとなっており、グラフ面が、これらの基準値を示すライン８３，８４によって、ａ〜ｄの４つの領域に区分されるようになっている。そして、被測定者の測定結果から両者の交点に所定のマーク８５が付されており、被測定者のキメの状態が一目でわかるようになっている。なお、上記グラフ図８２における基準値も、図１０のグラフ図６９と同様、環境温度によって修正された年代別基準値が用いられている。
【００４３】
そして、上記グラフ図８２の右上にも、被測定者の年代を示す年代記号７６と、環境温度を示す枠７７が設けられている。また、その下には、キメの形の指数と毛穴の状態の指数を示す枠８６，８７がそれぞれ設けられており、その指数が数値で示されるようになっている。なお、キメの測定と評価は、キメの大きさの均一性とキメの大きさを指標としてなされる場合もある。
【００４４】
つぎに、メニュー画面（図９参照）の「肌色」を選択すると、拡大カメラ３を頬に当てて無反射画像で皮膚表面を見るよう指示が与えられるようになっている。そして、得られる画像情報から、肌色の明度と色相に関する情報が数値的に処理され、図１３に示すように、被測定者の肌色が一目でわかるようなグラフ図９０が、モニター画面４ａ（図１参照）に表示されるようになっている。
【００４５】
このグラフ図９０は、明度に基づく指数を縦軸にとり、色相に基づく指数を横軸にとって、予め収集したデータに基づいて肌色を４つの典型例に区分して示したものがベースとなっており、グラフ面が、これらの基準値を示すライン９１，９２によって、ａ〜ｄの４つの領域に区分されるようになっている。そして、被測定者の測定結果から両者の交点に所定のマーク９３が付されており、被測定者の肌色が一目でわかるようになっている。なお、このグラフ図９０における基準値も、環境温度によって修正された年代別基準値が用いられている。
【００４６】
そして、上記グラフ図９０の右上に、被測定者の年代を示す年代記号７６と、環境温度を示す枠７７が設けられている。また、その下には、明度の指数と色相の指数を示す枠９４，９５がそれぞれ設けられており、各指数が数値で示されるようになっている。
【００４７】
つぎに、メニュー画面（図９参照）の「透明感」を選択すると、拡大カメラ３を頬に当てて無反射画像で皮膚表面を見るよう指示が与えられるようになっている。そして、得られる画像情報から、肌の透明感の指標となるメラニンと血色に関する情報が数値的に処理され、図１４に示すように、被測定者の肌の透明感が一目でわかるようなグラフ図９６が、モニター画面４ａ（図１参照）に表示されるようになっている。
【００４８】
このグラフ図９６は、メラニンに基づく指数を縦軸にとり、血色に基づく指数を横軸にとって、予め収集したデータに基づいて肌の透明感を４つの典型例に区分して示したものがベースとなっており、グラフ面が、これらの基準値を示すライン９７，９８によって、ａ〜ｄの４つの領域に区分されるようになっている。そして、被測定者の測定結果から両者の交点に所定のマーク９９が付されており、被測定者の肌の透明感が一目でわかるようになっている。なお、このグラフ図９９における基準値も、環境温度によって修正された年代別基準値が用いられている。
【００４９】
そして、上記グラフ図９９の右上に、被測定者の年代を示す年代記号７６と、環境温度を示す枠７７が設けられている。また、その下には、メラニンの指数と血色の指数を示す枠１００，１０１がそれぞれ設けられており、各指数が数値で示されるようになっている。
【００５０】
つぎに、メニュー画面（図９参照）の「表皮の力」を選択すると、角質層採取シート６０を頬に当てて角質層を採取し、本体部５のシート保持部６１（図６参照）に装着して透過画像で見るよう指示が与えられるようになっている。そして、得られる画像情報から、表皮の力の指標となる落屑分布状態と落屑量に関する情報が数値的に処理され、図１５に示すように、被測定者の表皮の力が一目でわかるようなグラフ図１０２が、モニター画面４ａ（図１参照）に表示されるようになっている。
【００５１】
このグラフ図１０２は、落屑分布状態を示す指数を縦軸にとり、落屑量を示す指数を横軸にとって、予め収集したデータに基づいて表皮の力を４つの典型例に区分して示したものがベースとなっており、グラフ面が、これらの基準値を示すライン１０３，１０４によって、ａ〜ｄの４つの領域に区分されるようになっている。そして、被測定者の測定結果から両者の交点に所定のマーク１０５が付されており、被測定者の表皮の力が一目でわかるようになっている。なお、このグラフ図１０２における基準値も、環境温度によって修正された年代別基準値が用いられている。
【００５２】
そして、上記グラフ図１０２の右上に、被測定者の年代を示す年代記号７６と、環境温度を示す枠７７が設けられている。また、その下には、落屑分布指数と落屑量指数を示す枠１０６，１０７がそれぞれ設けられており、各指数が数値で示されるようになっている。
【００５３】
つぎに、メニュー画面（図９参照）の「真皮の力」を選択すると、素肌センサ１を頬に当てて皮膚温度と弾力性を測定するよう指示が与えられるようになっている。そして、その測定結果から、真皮の力の指標となる皮膚のハリ・弾力と血行に関する情報が数値的に処理され、図１６に示すように、被測定者の真皮の力が一目でわかるようなグラフ図１０８が、モニター画面４ａ（図１参照）に表示されるようになっている。
【００５４】
このグラフ図１０８は、皮膚のハリ・弾力を示す指数を縦軸にとり、血行を示す指数を横軸にとって、予め収集したデータに基づいて真皮の力を４つの典型例に区分して示したものがベースとなっており、グラフ面が、これらの基準値を示すライン１０９，１１０によって、ａ〜ｄの４つの領域に区分されるようになっている。そして、被測定者の測定結果から両者の交点に所定のマーク１１１が付されており、被測定者の真皮の力が一目でわかるようになっている。なお、このグラフ図１０８における基準値も、環境温度によって修正された年代別基準値が用いられている。
【００５５】
そして、上記グラフ図１０８の右上に、被測定者の年代を示す年代記号７６と、環境温度を示す枠７７が設けられている。また、その下には、ハリ・弾力指数と血行指数を示す枠１１２，１１３がそれぞれ設けられており、各指数が数値で示されるようになっている。
【００５６】
そして、上記一連の測定を終了した段階で、メニュー画面（図９参照）の「総合結果」を選択すると、図１７に示すように、全測定結果が一目でわかるようにまとめられた画面が表示される。そして、この画面の上部に設けられた枠１１４内に、「ＢＡ  総合結果  問題あり」という総合的な結論１１５が表示されている。「ＢＡ」は、この装置の呼称である「ビューティアナライザー」の略称である。
【００５７】
なお、画面の右上には、各測定結果の表示画面と同様、被測定者の年代を示す年代記号７６と、環境温度を示す枠７７が設けられている。
【００５８】
また、図９のメニュー画面において、「肌拡大」の項目を選択すると、拡大カメラ３を用いて皮膚表面の拡大画像をモニター画面４ａに映し、そのまま観察したり、すでに述べたように、画面を複数に分割して２種類以上の画像を表示させ、それらを対比観察することができるようになっている。
【００５９】
さらに、上記の装置では、図９に示すメニュー画面とは別に、皮膚測定の意義について説明するための画面として、図１８に示す画面が用意されている。この画面では、皮膚表面の角質層と、その下の表皮、真皮、皮下組織にいたる肌断面の模式的なイラスト１２０が示されており、各部分を、どのような因子を指標として測定し、測定によってどのような情報を得るかについての説明がなされている。
【００６０】
すなわち、まず、皮膚の表面状態については、上記イラスト１２０における皮膚表面の上部に、拡大カメラ３による画像（反射／無反射）と、ＲＧＢ画像（色情報をＲＧＢで変換した画像）により、表面（凹凸・形態）と内部（色・模様）の情報、キメ、毛穴、肌色、透明感、色素沈着等に関する情報が得られる旨の説明がなされている。
【００６１】
また、イラスト１２０の表皮上部から引き出される３つの吹き出し部には、上から順に、その部分の特性である「皮脂膜」、「角質層  バリア力」、「表皮  ターンオーバー」の文字が示されており、それぞれの右側に、測定の指標となる「皮脂量」、「水分量」、「落屑パターン」の文字が示されている。
【００６２】
そして、イラスト１２０の真皮部分から引き出される２つの吹き出し部には、上から順に、その部分の特性である「毛細血管  血行」、「繊維芽細胞  コラーゲン・エラスチン  ヒアルロン酸」の文字が示されており、それぞれの右側に、測定の指標となる「皮フ温」、「ハリ・弾力度」の文字が示されている。
【００６３】
したがって、この画面をみれば、この装置による測定の意義を、一目で把握することができるようになっている。
【００６４】
上記装置によれば、豊富なメニューの中から、必要な項目を選択して、簡単に、皮膚状態を測定することができるため、時間に余裕のない顧客に対しても、必要最小限の項目についての測定により、適正な皮膚状態の評価を行うことができる。そして、測定結果が、基準値に対する偏りとして一目でわかるグラフ図６９等で表示されるため、いちいち担当員（化粧員販売員等）による説明をきかなくても、セルフ操作だけで、自分の皮膚状態を即座に理解することができる。しかも、上記基準値が、測定時の環境温度によって修正された年代別基準値であることから、自分の年代に応じた適正な評価を受けることができる。そして、担当員からすれば、上記装置を用いることにより、顧客の皮膚状態を、客観的かつ印象的に提示し、短時間で測定して評価することができるため、顧客に好印象を与えることができる。そして、この測定と評価の提示は、経験の浅い、未熟練の担当員であっても、同様に行うことができるため、社員教育の効率化という点においても利点が大きい。
【００６５】
図１９は、本発明の皮膚状態評価装置の他の例を示している。この装置は、基本的には、図１の装置と同一の構成を備えており、図１の装置と同一部分に同一符号を付けることにより、その説明を省略するが、以下に述べるいくつかの点において、図１の装置よりも改良されている。
【００６６】
すなわち、まず、素肌センサ１において、図２０に示すように、そのケーシング７の側面部に、液晶画面１２１が設けられており、測定データが、素肌センサ１自身に即座に表示されるようになっている。したがって、素肌センサ１の先端部を皮膚に押し当て、皮膚温度センサと水分量センサを作動させると、測定された皮膚温度の値１２２と水分量の値１２３とが、上記液晶画面１２１に即座に表示される。また、弾力性センサを作動させると、測定された弾力性の値１２４が、上記液晶画面１２１に即座に表示される。
【００６７】
なお、上記素肌センサ１を本体部５の凹部６に係合させた状態で、本体部５側に設けられた転送ボタン１３７（図２２参照）を押すと、上記３種類の測定値１２２〜１２４が、本体部５に接続された液晶カラーモニター４のモニター画面４ａに表示されるようになっている。
【００６８】
このように、液晶カラーモニター４とは別に、素肌センサ１自体に液晶画面１２１を設けると、本体部５から離れた場所で測定を行っても、いちいち本体部５のある場所まで戻ることなく、その場で測定結果を見ることができるため、本格的なカウンセリングに入る前の導入として、店頭や店内の適宜の場所で素肌センサ１によって手軽に測定を行い、その場で測定結果を見せて顧客の興味をそそることができる。
【００６９】
また、図１の装置では、上記素肌センサ１における水分量センサ１１（図２参照）の検知部分が、平面視略正方形状であるのに対し、この装置の水分量センサ１１′は、図２１に示すように、その平面視が円形になっている。これは、上記検知部分が円形の方が、皮膚に押圧した場合に違和感がないからである。それ以外の構造は、図１の装置と全く同一である。皮膚温度センサ１０、弾力性センサ１２は、図１の装置と全く同一である。
【００７０】
さらに、この装置では、本体部５（図１９に戻る）の上面手前側に、液晶カラーモニター４のモニター画面４ａの操作を、ワンタッチで行うことのできる操作パネル１３０が設けられている。
【００７１】
上記操作パネル１３０の詳細を図２２に示す。すなわち、この操作パネル１３０の向かって左側には、モニター画面４ａ上のカーソルを移動させて項目を選択するのに用いる上下ボタン１３１と、項目の選択や測定値の確定に用いるＯＫボタン１３２が設けられている。
【００７２】
ちなみに、この装置のメニュー画面は、図２３に示すようになっており、上記上下ボタン１３１によってカーソル１４２を移動し、メニュー画面上のいずれかの項目を選択することができる。そして、上記ＯＫボタン１３２を押すことにより、その項目の選択が確定する。なお、カーソル１４２は、項目ボタンの外周を囲う赤枠として表示される。また、このメニュー画面において、測定済の項目は、その項目ボタンの外周に青枠１４３が表示されるようになっており、測定がまだ終わっていない項目と、測定済の項目とが、一目で区別できるようになっている。
【００７３】
また、上記操作パネル１３０（図２２に戻る）において、上記ＯＫボタン１３２の向かって右側には、画面状態に関係なくメニュー画面を表示させるメニューボタン１３３と、画面状態に関係なく肌コンディション画面を表示させる肌コンディションボタン１３４と、測定画面と拡大カメラ３の画像を切り替える画面切り替えボタン１３５とが設けられている。これらのボタン１３３〜１３５によれば、カウンセリングの途中で、参照したい別画面をワンタッチで即座に表示させることができ、便利である。
【００７４】
さらに、上記画面切り替えボタン１３５の向かって右側には、拡大カメラ３の色や皮脂量測定で基準を設定するキャリブレーションボタン１３６が設けられている。このキャリブレーションボタン１３６は、測定時の光量や装置の状態によって読み取る色や皮脂量にばらつきが生じやすいことから、実際の測定に先立ち、基準状態を測定しておき、その基準測定値に基づいて、実際の測定データを適正に補正する、という機能を果たすものである。
【００７５】
上記機能について、より具体的に述べると、まず、この装置には、角質層採取シート６０（図１９に戻る）とは別に、これと同一寸法の、肌色シートからなるカメラ基準板１５０（紙またはセラミック製）が用意されている。そして、この装置の本体部５を起動させた後、実際の測定に入る前に、拡大カメラ３を適正にセットした凹部５０内のシート保持部６１に、上記カメラ基準板１５０を装着し、その状態で、上記キャリブレーションボタン１３６を押す。これにより、自動的に拡大カメラ３が上記カメラ基準板１５０を撮像し、その測定データ（基準測定値）に基づいて、実際の色の測定データを、測定条件に左右されない適正な値に補正するプラグラムを作動させることができる。したがって、その日の天気等によって左右されやすい測定値に、より客観性をもたせることができる。また、オイリーチェッカー２についても、測定に先立って、オイリーチェッカー２の先端部を清浄に保った状態でキャリブレーションボタン１３６を押すことにより、皮脂量ゼロの状態を測定し、その測定データ（基準測定値）に基づいて、実際の皮脂量測定値を、適正に補正するプログラムを作動させることができる。
【００７６】
また、上記キャリブレーションボタン１３６の向かって右側には、素肌センサ１の測定データを本体部５に転送する転送ボタン１３７が設けられている。この転送ボタン１３７については、すでに述べたように、素肌センサ１で測定された水分量、皮膚温度、弾力性の各測定データを、本体部５に転送する場合に用いるもので、素肌センサ１を凹部６に係合させた状態で、上記転送ボタン１３７を押すと、測定データが本体部５に転送され、液晶カラーモニター４のモニター画面４ａに表示されるようになっている。
【００７７】
さらに、上記転送ボタン１３７の向かって右側には、拡大カメラ３の表示を切り替える比較ボタン１３８と、測定データと拡大カメラ３の記憶画像を消去するクリアボタン１３９とが設けられている。上記比較ボタン１３８によれば、拡大カメラ３で撮像され本体部５で記憶された２種類の画像を、第１の画面と第２の画面のそれぞれで交互に表示したり、２分割された画面で直接対比させて表示する等の操作を行うことができる。なお、上記比較ボタン１３８の上には、２個一対の画面メモリランプ１４１が設けられており、第１の画面であるか第２の画面であるかの区別が、上記画面メモリランプ１４１の点灯する位置によって区別できるようになっている。そして、画面メモリランプ１４１を２つとも消灯した状態を選択すれば、画面が２分割された対比画面にすることができるようになっている。
【００７８】
さらに、上記比較ボタン１３８の向かって右側には、全ての測定データと拡大カメラ３で得られた記憶画像とを消去するためのクリアボタン１３９が設けられている。これによれば、一連の皮膚測定やカウンセリングを行ったのち、被測定者（顧客）の目の前で、このクリアボタン１３９を押し、被測定者のデータが全て消失したことを提示することができるため、被測定者のプライバシーが守られていることをアピールすることができる。
【００７９】
なお、ＯＫボタン１３２の上には、本体部５の電源状態を表示するパワーランプ１４０が設けられており、本体部５の電源スイッチ１４５（図１９参照）をオンにすると、このパワーランプ１４０が点灯するようになっている。また、図１９において、１４６はＡＣアダプターのコネクターである。
【００８０】
さらに、この装置では、被測定者の年代を、「〜１９歳」、「２０〜２４歳」、「２５〜２９歳」、「３０〜３４歳」、「３５〜３９歳」、「４０〜４４歳」、「４５〜４９歳」、「５０〜５４歳」、「５５〜５９歳」、「６０〜６４歳」、「６５〜６９歳」、「７０〜７４歳」、「７５〜７９歳」、「８０歳〜」の１４の年代に分けており、図１の装置（１１の年代に区分）よりも、被測定者の年代に、よりきめ細かく対応ができるようになっている。
【００８１】
なお、上記被測定者の年代設定は、図２３に示すメニュー画面において、右上の「Ａｇｅ」の項目１４７を選択して、図２４の画面を開き、操作パネル１３０の上下ボタン１３１によってカーソル１４２′を移動させ、該当する年代の項目に位置決めしてＯＫボタン１３２を押すことにより行われる。
【００８２】
なお、本発明において、評価項目は、皮膚状態を評価するのに適した項目であれば、特に限定するものではなく、測定具も、その項目に応じて適宜用意することができる。なかでも、上記２つの例のように、皮脂量、水分量、皮膚温度、キメ、肌色、透明感、表皮の力（活性度）、真皮の力（活性度）の８項目について測定できるようにしておけば、きめ細かに皮膚状態評価を行うことができ、好ましい。そして、時間のない顧客に対しては、これらの項目の中から、顧客が気になる項目を２、３選んで測定するようにすれば、顧客のニーズに沿うことができる。
【００８３】
そして、上記２つの例では、基準値として、被測定者の年代に対応した年代別基準値を自動的に選択し、さらにこれを、測定時の環境温度で修正した上で、測定結果の表示を行うようにしているが、本発明とは異なる他の例として、例えば、修正のための係数を、春・夏用と、秋・冬用の２段階で変更することができるよう設定しておき、測定時期によって、上記設定を切り替えるようにしたものをあげることができる。
【００８４】
さらに、測定結果の表示も、上記２つの例に限るものではないが、少なくとも年代別基準値からの偏りとして視覚的に表示したものでなければならない。その表示をみれば、必ずしも担当員と対話しなくても、顧客がセルフ操作で自分の皮膚の状態を一目で把握することができるからである。
【００８５】
さらに、上記液晶カラーモニター４は、本体部５と別立てではなく、本体部５の奥側に一体的に取り付けるようにしてもよい。しかし、上記２つの例のように、別立てにする方が、店内の空間条件に応じて、液晶カラーモニター４と本体部５を適宜に配置することができ、好適である。
【００８６】
また、本発明において、必ずしも液晶カラーモニター４を用いる必要はなく、ＣＲＴやＴＶカラーモニター等、各種の画像表示手段を用いることができる。
【００８７】
【発明の効果】
以上のように、本発明の皮膚状態測定装置によれば、皮膚状態評価のために行う測定の測定結果が、基準値に対する偏りとして一目でわかるよう表示されるため、いちいち担当員（化粧員販売員等）による説明をきかなくても、装置をセルフ操作するだけで、自分の皮膚状態を即座に理解することができる。もちろん、担当員とやりとりすれば、より一層きめ細かなカウンセリングを受けることができる。
【００８８】
しかも、上記基準値が、測定時に入力される環境温度によって、環境の影響を考慮した値に修正された年代別基準値であることから、自分の年代に応じた適正な評価を受けることができる。そして、担当員からすれば、上記装置を用いることにより、顧客の皮膚状態を、客観的かつ印象的に提示し、短時間で測定して評価することができるため、顧客に好印象を与えることができる。そして、この測定と評価の提示は、経験の浅い、未熟練の担当員であっても、同様に行うことができるため、社員教育の効率化という点においても利点が大きい。
【図面の簡単な説明】
【図１】  本発明の一実施例を示す外観斜視図である。
【図２】  （ａ）は上記実施例に用いる素肌センサの正面図、（ｂ）はそのＡ−Ａ′矢視図である。
【図３】  （ａ）上記素肌センサに取り付けられた皮膚温度センサの説明図、（ｂ）は同じく水分量センサの説明図、（ｃ）は同じく弾力性センサの説明図である。
【図４】  （ａ）は上記実施例に用いるオイリーチェッカーの正面図、（ｂ）はその側面図である。
【図５】  上記実施例に用いる拡大カメラの正面図である。
【図６】  上記拡大カメラを外した状態における本体部の部分的な斜視図である。
【図７】  角質層採取シートの断面図である。
【図８】  上記角質層採取シートの使用態様の説明図である。
【図９】  上記実施例のモニター画面の表示内容の一例である。
【図１０】  上記実施例のモニター画面の表示内容の一例である。
【図１１】  上記実施例のモニター画面の表示内容の一例である。
【図１２】  上記実施例のモニター画面の表示内容の一例である。
【図１３】  上記実施例のモニター画面の表示内容の一例である。
【図１４】  上記実施例のモニター画面の表示内容の一例である。
【図１５】  上記実施例のモニター画面の表示内容の一例である。
【図１６】  上記実施例のモニター画面の表示内容の一例である。
【図１７】  上記実施例のモニター画面の表示内容の一例である。
【図１８】  上記実施例のモニター画面の表示内容の一例である。
【図１９】  本発明の他の実施例を示す外観斜視図である。
【図２０】  上記他の実施例に用いる素肌センサの正面図である。
【図２１】  上記素肌センサに取り付けられた各センサの説明図である。
【図２２】  上記他の実施例に用いる操作パネルの説明図である。
【図２３】  上記他の実施例のモニター画面の表示内容の一例である。
【図２４】  上記他の実施例のモニター画面の表示内容の一例である。
【符号の説明】
１  素肌センサ
２  オイリーチェッカー
３  拡大カメラ
４  液晶カラーモニター
５  本体部
【図１】
0003772104.tif 000002
【図２】
0003772104.tif 000003
【図３】
0003772104.tif 000004
【図４】
0003772104.tif 000005
【図５】
0003772104.tif 000006
【図６】
0003772104.tif 000007
【図７】
0003772104.tif 000008
【図８】
0003772104.tif 000009
【図９】
0003772104.tif 000010
【図１０】
0003772104.tif 000011
【図１１】
0003772104.tif 000012
【図１２】
0003772104.tif 000013
【図１３】
0003772104.tif 000014
【図１４】
0003772104.tif 000015
【図１５】
0003772104.tif 000016
【図１６】
0003772104.tif 000017
【図１７】
0003772104.tif 000018
【図１８】
0003772104.tif 000019
【図１９】
0003772104.tif 000020
【図２０】
0003772104.tif 000021
【図２１】
0003772104.tif 000022
【図２２】
0003772104.tif 000023
【図２３】
0003772104.tif 000024
【図２４】
0003772104.tif 000025